(57)【要約】【課題】  柱状スペーサ周辺での光漏れを防止し、高精細で高コントラストかつ高開口率の液晶表示装置を提供する。【解決手段】  画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、前記基板上に形成される液晶配向膜が光配向膜からなり、前記柱状スペーサの傾斜部の傾斜角が４５度以上９０度未満であり、前記柱状スペーサの傾斜部上の配向膜表面の接線と基板表面との交点から最も近い遮光ブラックマトリクス端部までの距離が、両基板間の液晶セルギャップ間隔以下である。【選択図】図１
2015004808.tif 000002
【特許請求の範囲】
【請求項１】
画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、
走査信号線および／または映像信号線に沿って遮光ブラックマトリクスが設けられており、
前記基板上に形成される液晶配向膜が光配向膜からなり、
前記柱状スペーサの傾斜部の傾斜角が４５度以上９０度未満であり、
前記柱状スペーサの傾斜部上の配向膜表面の接線と基板表面との交点から最も近い遮光ブラックマトリクス端部までの距離が、両基板間の液晶セルギャップ間隔以下であることを特徴とする液晶表示装置。
【請求項２】
請求項１に記載の液晶表示装置において、
前記基板の一方に形成される柱状スペーサは、柱状スペーサ傾斜部上の配向膜表面の傾斜面から基板表面へ外挿したときのなす角度が４５度以上８０度以下であることを特徴とする液晶表示装置。
【請求項３】
請求項１に記載の液晶表示装置において、
前記基板の一方に形成される柱状スペーサは、柱状スペーサ傾斜部上の配向膜表面の傾斜面から基板表面へ外挿したときのなす角度が４５度以上７０度以下であり、
遮光ブラックマトリクス領域に形成されている、前記柱状スペーサの傾斜部上の配向膜表面の接線と基板表面との交点から最も近い遮光ブラックマトリクス端部までの距離が、両基板間の液晶セルギャップ間隔の１／２以下であることを特徴とする液晶表示装置。
【請求項４】
請求項１に記載の液晶表示装置において、
前記基板の一方に形成される柱状スペーサは、柱状スペーサ傾斜部上の配向膜表面の傾斜面から基板表面へ外挿したときのなす角度が７０度以上８０度以下であり、
遮光ブラックマトリクス領域に形成されている、前記柱状スペーサの傾斜部上の配向膜表面の接線と基板表面との交点から最も近い遮光ブラックマトリクス端部までの距離が、両基板間の液晶セルギャップ間隔の１／２以上、１以下であることを特徴とする液晶表示装置。
【請求項５】
請求項１〜請求項４の何れか１つに記載の液晶表示装置において、
前記柱状スペーサは、円柱状スペーサであり、ほぼ直交する遮光ブラックマトリクスの重なり領域に配置されていることを特徴とする液晶表示装置。
【請求項６】
請求項１〜請求項４の何れか１つに記載の液晶表示装置において、
前記柱状スペーサが、基板面に平行な断面形状において、画素領域の液晶配向方向に平行および／または垂直な端面と端部に曲率を持つ部分を有することを特徴とする液晶表示装置。
【請求項７】
請求項６に記載の液晶表示装置において、
前記柱状スペーサの、端部に曲率を持つ部分がほぼ直交する遮光ブラックマトリクスの重なり領域に配置されていることを特徴とする液晶表示装置。
【請求項８】
請求項１に記載の液晶表示装置において、
画素領域が１画素内で２分割され視野角補償を行う構成であることを特徴とする液晶表示装置。
【請求項９】
請求項１に記載の液晶表示装置において、
上下２画素で視野角補償する画素構成であることを特徴とする液晶表示装置。
【発明の詳細な説明】
【技術分野】
【０００１】
本発明は、光配向膜を用いた液晶表示装置に関し、高精細で高コントラストかつ高開口率の液晶表示装置に関する。
【背景技術】
【０００２】
液晶表示装置においては、広視野角を実現するなどのために、ＩＰＳ( In-Plane Switching )方式やＦＦＳ( Fringe Field Switching )方式などの横電界方式の液晶表示装置が開発されている。横電界方式では、液晶分子を水平に配向させた状態において、基板と平行な方向の電界を印加して液晶分子を水平面内で回転させることで、バックライトの光量を制御して画像を表示する。
【０００３】
また、液晶表示素子において、液晶配向膜に配向機能を付与するための処理方法として、光配向法が提案されている。光配向法は、ポリイミドなどの高分子膜に直線偏光された紫外線光（偏光ＵＶ光）等を照射することにより、偏光方向の高分子鎖を選択的に反応させて、高分子膜の分子の並びに異方性を発生させて液晶配向能を付与するものである。
【０００４】
横電界方式の液晶表示装置に光配向法を適用する場合、カラーフィルタ基板またはＴＦＴ（ＴＦＴ： Thin Film Transistor ）基板の一方に設ける柱状スペーサ（ＳＯＣ： Spacer On Color filter )の側面の傾斜が４５度以下で緩やかであれば、柱状スペーサの周辺の液晶配向は良好である。しかし、高精細かつ高開口率化を図るために柱状スペーサを設置する遮光ブラックマトリクスの幅を狭めると、柱状スペーサの径が細くなるとともに、柱状スペーサの傾斜角度が急峻になる。そのため、柱状スペーサの周りの液晶配向が乱れ、高コントラスト化と高開口率化の両立が困難となる。
【０００５】
光配向膜を用いた液晶表示装置として、特許文献１には、スペーサの端部が、傾斜角度４５度以下またはアスペクト（縦／横）比が１以下の順テーパの傾斜面を有するものである横電界方式の液晶表示装置が開示されている。
【０００６】
また、光配向膜を用いるものではないが、特許文献２には、横電界駆動方式の液晶表示素子において、マトリックス状に配置された複数の電極配線の各交差点に設けられる柱状の絶縁膜（柱状スペーサ）の断面形状がラビング方向に平行な側面を有して形成されること、が開示されている（要約参照）。
【先行技術文献】
【特許文献】
【０００７】
【特許文献１】特開２０００−１３７２２９号公報
【特許文献２】特開平１１−１７４４６２号公報
【発明の概要】
【発明が解決しようとする課題】
【０００８】
特許文献１には、光配向膜を用いた横電界方式の液晶表示装置が記載されているが、スペーサの端部が傾斜角度４５度以下であり、高精細で対応が求められる急峻な傾斜に対応できず、高開口率化を図ることはできない。特許文献２記載の発明は、配向膜の形成にラビングを用いるもので、光配向の記載はない。
【０００９】
従来、液晶表示装置において、ＴＦＴ基板とカラーフィルタ基板の間隔を所定の間隔に保つ柱状スペーサＳＯＣとしては、円柱状あるいは四角柱状のスペーサが用いられていた。この配置で光配向処理を行うと、ＳＯＣの傾斜が４５度以下で緩やかであれば液晶配向は良好であるが、ＳＯＣの傾斜角度が急峻になると、ＳＯＣ周りの液晶配向が乱れ、柱状スペーサの周辺で光漏れが発生する。
【００１０】
図３を用いて、この様子を説明する。図３は円柱状のＳＯＣを用いたもので、（ａ）はＳＯＣ周りの平面図、（ｂ）はＳＯＣ周りの断面図を示す。図において、１０は柱状スペーサＳＯＣ、２１は横方向の遮光ブラックマトリクス、２２は縦方向の遮光ブラックマトリクスを示す。遮光ブラックマトリクスは、例えばカラーフィルタ基板上に、走査信号線および映像信号線に沿って配置されている。横電界方式の液晶表示装置では、電極の伸びる方向に対して液晶分子４０をある一定の角度（バイアス角度：５〜１５度）をもって初期配向させるため、液晶の初期配向方向５０を電極の伸びる方向（遮光ブラックマトリクス２２の方向）に対して一定の角度傾けている。そのため、通常、照射する光の偏光軸も電極（遮光ブラックマトリクス２１の方向）に対して一定の角度傾けている。そして、図３の（ａ）（ｂ）に示すように、照射する光の偏光軸が柱状スペーサ１０の傾斜面に対して垂直または平行からずれるため、柱状スペーサ１０の周辺の平坦な配向膜３０の表面の領域に直接照射された光の偏光軸と反射により再照射された光の偏光軸が異なってしまう。（完全なｐ偏光、ｓ偏光と異なるため、反射光の偏光軸がずれてしまう。）このため、配向膜３０の表面の領域に２軸の液晶配向能が付与されてしまい、液晶分子４０の配向不良が生じる。そして、図３（ａ）に示すように、照射する光の偏光軸が柱状スペーサ１０の傾斜面に対して垂直または平行からずれる場所に光漏れ領域６０ができる。
【００１１】
柱状スペーサ１０周辺での光漏れによるコントラストの低下を防ぐため、光漏れ領域６０を遮光ブラックマトリクス２１，２２で遮光する。しかし、ブラックマトリクスで遮光することにより高コントラストを保持できても、その分、開口率が低下し、高開口率と高コントラストとの両立は困難である。
【００１２】
本発明は、柱状スペーサ周辺での光漏れを防止し、高精細で高コントラストかつ高開口率の液晶表示装置を提供することを目的とする。
【課題を解決するための手段】
【００１３】
上記課題を解決するために、例えば特許請求の範囲に記載した構成を採用する。
【００１４】
本発明の体表的な一例を挙げれば、画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、走査信号線および映像信号線に沿って遮光ブラックマトリクスが設けられており、前記基板上に形成される液晶配向膜が光配向膜からなり、前記柱状スペーサの傾斜部の傾斜角が４５度以上９０度未満であり、前記柱状スペーサの傾斜部上の配向膜表面の接線と基板表面との交点から最も近い遮光ブラックマトリクス端部までの距離が、両基板間の液晶セルギャップ間隔以下であることを特徴とするものである。
【発明の効果】
【００１５】
本発明によれば、柱状スペーサ周辺での光漏れを防止し、高精細で高コントラストかつ高開口率の液晶表示装置を提供することができる。
【図面の簡単な説明】
【００１６】
【図１】本発明の実施の形態の液晶表示装置の、柱状スペーサ付近の構造を示す図である。
【図２】スペーサ上の光配向膜の傾斜角と光漏れ幅相対値との関係を示す図である。
【図３】柱状スペーサの周辺での光漏れの発生を説明する図である。
【図４】本発明の実施例１の液晶表示装置の、柱状スペーサ付近の構造を示す図である。
【図５】本発明の実施例２の液晶表示装置の、柱状スペーサ付近の構造を示す図である。
【図６】本発明の実施例３の液晶表示装置の、柱状スペーサ付近の構造を示す図である。
【図７】液晶表示装置の概略構成を示す図である。
【図８】横電界方式の液晶表示パネルの一例の概略構成を示す図である。
【図９】比較例の液晶表示装置の、柱状スペーサ付近の構造を示す図である。
【発明を実施するための形態】
【００１７】
本発明の実施の形態を説明する前に、従来の液晶表示装置について説明する。
【００１８】
図７は、液晶表示装置の概略構成の一例を示す図である。液晶表示装置は、液晶表示パネル１０１、第１の駆動回路１０２、第２の駆動回路１０３、制御回路１０４、およびバックライト１０５を有する。液晶表示パネル１０１は、複数本の走査信号線ＧＬ（ゲート線）および複数本の映像信号線ＤＬ（ドレイン線）を有し、映像信号線ＤＬは第１の駆動回路１０２に接続しており、走査信号線ＧＬは第２の駆動回路１０３に接続している。液晶表示パネル１０１の表示領域ＤＡは、多数の画素の集合で構成されており、表示領域ＤＡにおいて１つの画素が占有する領域は、たとえば、隣接する２本の走査信号線ＧＬと隣接する２本の映像信号線ＤＬとで囲まれる領域に相当する。
【００１９】
液晶表示パネル１０１は、ＴＦＴ基板と対向基板（カラーフィルタ基板）の表面に配向膜を形成し、それら配向膜の間に液晶層ＬＣ（液晶材料）を配置した構造になっている。また、液晶層ＬＣが密封された空間に、それぞれの画素における液晶層ＬＣの厚さ（セルギャップ）を均一化するための柱状スペーサが複数設けられている。この複数の柱状スペーサは、たとえば、カラーフィルタ基板に設けられている。
【００２０】
図８に、ＦＦＳ方式の液晶表示パネルの概略構成の一例を示す。ＴＦＴ基板２００は、ガラス基板２０１などの絶縁基板の表面に、共通電極ＣＴ、走査信号線ＧＬ、および共通化配線ＣＬと、それらを覆う第１の絶縁層２０２が形成されている。第１の絶縁層２０２の上には、図示していないが、ＴＦＴ素子の半導体層、映像信号線ＤＬ、およびソース電極２０７と、それらを覆う第２の絶縁層２０４が形成されている。このとき、映像信号線ＤＬの一部分およびソース電極２０７の一部分は、それぞれ、半導体層に乗り上げており、当該半導体層に乗り上げた部分がＴＦＴ素子のドレイン電極およびソース電極として機能する。第２の絶縁層２０４の上に画素電極ＰＸと、画素電極ＰＸを覆う配向膜２０６が形成されている。画素電極ＰＸは、第２の絶縁層２０４を貫通するコンタクトホールを介してソース電極２０７と接続している。このとき、ガラス基板２０１の表面に形成された共通電極ＣＴは、隣接する２本の走査信号線ＧＬと隣接する２本の映像信号線ＤＬで囲まれた領域（開口領域）に平板状に形成されており、当該平板状の共通電極ＣＴの上に、複数のスリットを有する画素電極ＰＸが積層されている。またこのとき、走査信号線ＧＬの延在方向に並んだ画素の共通電極ＣＴは、共通化配線ＣＬによって共通化されている。
【００２１】
一方、カラーフィルタ基板３００は、ガラス基板３０１などの絶縁基板の表面に、ブラックマトリクス３０２およびカラーフィルタ３０３と、それらを覆うオーバーコート層３０４が形成されている。ブラックマトリクス３０２は、たとえば、表示領域ＤＡに画素単位の開口領域を設けるための格子状の遮光膜である。オーバーコート層３０４の上には、複数の柱状スペーサ３０６および配向膜３０５が形成されている。柱状スペーサ３０６は、たとえば、頂上部が平坦な円錐台形であり、ＴＦＴ基板２００の走査信号線ＧＬのうちの、ＴＦＴ素子が配置されている部分および映像信号線ＤＬと交差している部分を除く部分と重なる位置に形成されている。また、配向膜３０５は、たとえば、ポリイミド系樹脂で形成されており、液晶配向能を付与するための処理が施されている。なお、図において、２０９，３０９は、偏光板である。
【００２２】
このような液晶表示装置において、従来、円柱状などの柱状スペーサが用いられていた。そして、配向膜３０５として光配向膜を用い、光配向処理を行うと、柱状スペーサ３０６の周辺で光漏れが発生し、コントラストが低下してしまう。ブラックマトリクス３０２の領域を広げて光漏れ領域を遮光することによりコントラストを保持することができるが、その分、開口率が低下するという問題がある。
【００２３】
以下に、図面に基づいて本発明の実施の形態を説明する。なお、実施の形態を説明するための全図において、同一の機能を有する要素には同一の名称、符号を付して、その繰り返しの説明を省略する。
【００２４】
図１は本発明の実施の形態を示す図であり、図１（ａ）は柱状スペーサ付近の平面図を、図１（ｂ）は、図１（ａ）のＡ−Ｂ線の断面図を示す。
【００２５】
図１（ａ）において、横方向ブラックマトリクス２１と縦方向ブラックマトリクス２２との交差点上に四角柱状の柱状スペーサ１０が設けられている。液晶の初期配向方向５０は、電極の伸びる方向（遮光ブラックマトリクス２２の方向）に対して一定の角度傾けられている。そして、基板面に平行な柱状スペーサ１０の断面形状において、柱状スペーサは液晶配向方向５０に平行または垂直な端面と端部の曲率を持つ部分を備えており、端部の曲率を持つ部分、特に、液晶の初期配向方向５０に対する角度φが４５度付近の領域において、液晶配向方向が正常の配向方向とは異なり、光漏れ領域６０を生じる。
【００２６】
本発明は、光漏れ領域６０を遮光するブラックマトリクスの幅を規定することにより、高コントラスト化および高開口率化を図るものである。
【００２７】
柱状スペーサ１０の端部から最も近い遮光ブラックマトリクス端部は、図１（ａ）のＡ−Ｂ線上でみることができる。図１（ｂ）は、図１（ａ）のＡ−Ｂ線の断面図を示す。距離Ｄは、柱状スペーサ１０の傾斜部上の配向膜３０表面の接線と、基板表面との交点から遮光ブラックマトリクス２１の端部までの距離である。なお、図（ｂ）において、７２はカラーフィルタ層、７４は透明絶縁膜である。
【００２８】
図２に、液晶セルのギャップ間隔Ｈに対する光漏れ幅Ｘの相対値Ｘ／Ｈと、柱状スペーサ上の光配向膜の傾斜角θとの関係を示す。柱状スペーサ上の光配向膜の傾斜角とは、柱状スペーサ自体の傾斜角ではなく、柱状スペーサに塗布形成される光配向膜の傾斜面から基板表面へ外挿したときのなす角度θで定義される。
【００２９】
図２から、傾斜角度θが６０度付近で光漏れが見え始め、θが増加するにつれて、光漏れ幅が増加していく。そして、傾斜角７０度でＸ／Ｈが約０．４、傾斜角８０度でＸ／Ｈが約０．７、傾斜角９０度でＸ／Ｈが０．９である。
【００３０】
したがって、柱状スペーサの傾斜部上の光配向膜の接線と、平坦な基板表面との交点から最も近い遮光ブラックマトリクス端部までの距離Ｄを、セルギャップ間隔Ｈ以下とすることで、高いコントラストおよび高い開口率を得ることができる。また、柱状スペーサの傾斜角を７０度以下にすることで、上記の遮光ブラックマトリクス端までの距離Ｄをセルギャップ間隔Ｈの１／２以下にできる。このため、遮光ブラックマトリクスの幅をさらに狭めることができ、光漏れの無い高コントラストで、透過率の高い高精細な液晶表示装置を実現できる。また、柱状スペーサの傾斜角が７０度から９０度未満の場合は、上記の遮光ブラックマトリクス端までの距離Ｄを、セルギャップ間隔Ｈの１／２以上、セルギャップ間隔Ｈ以下とすればよい。
【実施例１】
【００３１】
図４は、本発明の実施例１の液晶表示装置の構造を説明する図であり、（ａ）はカラーフィルタ基板に設けた柱状スペーサＳＯＣ付近の平面図、（ｂ）は点線Ａ−Ｂで示される、柱状スペーサ付近の断面図である。
【００３２】
図４（ａ）において、カラーフィルタ基板には、横方向ブラックマトリクス２１および縦方向ブラックマトリクス２２が配置されるとともに、横方向ブラックマトリクス２１と縦方向ブラックマトリクス２２が交差する位置に円柱状スペーサ１０が配置されている。なお、横方向ブラックマトリクス２１および縦方向ブラックマトリクス２２は、それぞれＴＦＴ基板に設けられる走査信号線および映像信号線に沿うように配置される。例えばＩＰＳ方式の液晶表示装置では、液晶分子を均一に回転させるために、矢印５０で示すように、電極の伸びる方向（縦方向ブラックマトリクス２２の方向）に対して液晶分子を一定のバイアス角度をもって初期配向させる必要がある。そのため、光照射の偏光方向も電極に垂直の方向（横方向ブラックマトリクス２１の方向）に対して一定の角度だけ傾けている。
【００３３】
図４（ｂ）に示すように、傾斜角度θが、４５度以上、９０度未満の円柱状スペーサ１０の上には、光配向膜３０が塗布形成されている。柱状スペーサの下底端は、柱状スペーサ１０の断面において傾斜部上の配向膜３０表面の接線と平坦な基板表面の交点とし、交点から最も近いブラックマトリクスＢＭ２１の端部までの距離をＤとする。本実施例では、柱状スペーサが形成されている領域の最も近い遮光ブラックマトリクス端部までの距離Ｄを、セルギャップ間隔Ｈ以下とする。
【００３４】
例えば、円柱状スペーサの傾斜角度が約６５度であり、柱状スペーサの傾斜部の配向膜表面の傾斜の接線と平坦な基板表面との交点から、最も近い遮光ＢＭの端部までの距離Ｄは３．５μｍである。液晶のセルギャップ間隔Ｈが４．０μｍの場合、スペーサ近傍の光漏れ領域が遮光領域から漏れ出すことがなく、高いコントラスト比１２００：１を実現できた。
【実施例２】
【００３５】
図５は、本発明の実施例２の液晶表示装置の構造を説明する図であり、（ａ）は、１画素の平面図、およびこれを拡大した、カラーフィルタ基板に設けた柱状スペーサＳＯＣ付近の平面図、（ｂ）は点線Ａ−Ｂで示される、柱状スペーサ付近の断面図である。本実施例は、図５（ａ）の全体図に示すように、１画素内で２分割され視野角補償を行う液晶表示装置に適用したものである。
【００３６】
図５（ａ）において、カラーフィルタ基板には、横方向ブラックマトリクス２１および縦方向ブラックマトリクス２２が配置されるとともに、横方向ブラックマトリクス２１と縦方向ブラックマトリクス２２が交差する位置に柱状スペーサ１０が配置されている。本実施例において、柱状スペーサは、基板面に平行な面において、直線的な部分は液晶の初期配向方向に平行な面を有し、四隅のＲ部分が大きく湾曲している。また、そのＲ部分は、横方向ブラックマトリクス２１および縦方向ブラックマトリクス２２の重なり領域に配置されている。なお、１画素内で２分割され視野角補償を行う本実施例においては、液晶の初期配向方向５０は、横方向ブラックマトリクス２１の方向である。
【００３７】
図５（ｂ）に示すように、傾斜角度θが、４５度以上、９０度未満の柱状スペーサ１０の上には、光配向膜３０が塗布形成されている。柱状スペーサ１０の下底端から最も近いブラックマトリクス２１の端部までの距離をＤとする。本実施例では、柱状スペーサが形成されている領域の最も近い遮光ブラックマトリクス端部までの距離Ｄが、セルギャップ間隔Ｈ以下である。
【００３８】
例えば、柱状スペーサの傾斜角度が約８０度であり、柱状スペーサの下底端と平坦な基板表面との交点から、最も近い遮光ブラックマトリクスの端部までの距離Ｄは３．７μｍである。液晶のセルギャップが３．８μｍの場合、スペーサ近傍の光漏れ領域が遮光領域から漏れ出すことがなく、高いコントラスト比１０００：１を実現できた。
【実施例３】
【００３９】
図６は、本発明の実施例３の液晶表示装置の構造を説明する図であり、（ａ）は、上下に隣接する２画素の平面図、（ｂ）はこれを拡大した、カラーフィルタ基板に設けた柱状スペーサＳＯＣ付近の平面図である。本実施例は、図６（ａ）の全体図に示すように、上下２画素で視野角補償を行う液晶表示装置に適用したものである。
【００４０】
図６（ａ）に示すように、上下の２画素は、液晶の初期配向方向５０に対して互いに反対方向に傾斜しており、視野角補償を行うように構成されている。
【００４１】
図６（ｂ）において、カラーフィルタ基板には、横方向ブラックマトリクス２１および縦方向ブラックマトリクス２２が配置されている。そして、横方向ブラックマトリクス２１上に、隣り合う、横方向ブラックマトリクス２１と縦方向ブラックマトリクス２２が交差する位置に跨って、柱状スペーサ１０が配置されている。本実施例において、柱状スペーサは、基板面に平行な面において、直線的な部分は液晶の初期配向方向５０に垂直な面を有し、四隅のＲ部分が湾曲している。また、図中点線で囲まれたそのＲ部分は、横方向ブラックマトリクス２１および縦方向ブラックマトリクス２２の重なり領域に配置されている。なお、上下２画素で視野角補償を行う本実施例においては、液晶の初期配向方向５０は、縦方向ブラックマトリクス２２の方向である。
【００４２】
柱状スペーサ１０の上には、光配向膜が塗布形成されている。柱状スペーサの断面において、傾斜角度約７０度の柱状スペーサの下底端と平坦な基板表面との交点から最も近いブラックマトリクスＢＭの端部までの距離をＤとする。
【００４３】
液晶のセルギャップ３．５μｍの場合、距離Ｄが３．０μｍ、２．０μｍ、１．０μｍの何れの場合でも、四隅のＲ部分で発生する配向方向の異なる配向異常の領域がブラックマトリクス遮光領域内に限定され、柱状スペーサ近傍の光漏れ領域から漏れ出すことがなく、高いコントラスト比１５００：１を実現できた。
【比較例】
【００４４】
図９は、ラビング配向処理を行った比較例の液晶表示装置の構造を説明する図である。直交する横方向ブラックマトリクス２１と縦方向ブラックマトリクス２２の交差部に円柱状スペーサ１０が設けられている。円柱状スペーサの上にはラビング配向膜が塗布形成され、ラビング方向にラビング配向処理を行った。
【００４５】
この比較例において、円柱状スペーサの傾斜角度は約５５度であり、この柱状スペーサの傾斜部上の配向膜表面の傾斜の接線と、平坦な基板表面との交点から、最も近い遮光ブラックマトリクスの端部までの距離Ｄは３．０μｍである。そして、液晶セルのセルギャップ間隔Ｈは４．０μｍである。このように作成した液晶セルのコントラスト比は６００：１であった。黒表示の液晶セルを顕微鏡を用いて観察すると、柱状スペーサを配置した遮光ブラックマトリクスの交差部分に光漏れが見られ、スペーサ近傍の液晶の初期配向乱れに起因する光漏れであることが分かる。
【００４６】
そこで、柱状スペーサ近傍の光漏れを隠すように遮光ブラックマトリクス幅を広げ、それ以外は同じ仕様で液晶セルを作成した。この液晶セルのコントラスト比は、１０００：１を示した。したがって、ラビング配向処理を行った比較例１において、距離Ｄが３．０μｍの遮光ブラックマトリクス幅では、コントラスト比が低下していることが確認できた。
【符号の説明】
【００４７】
１０  柱状スペーサ
２１  横方向ブラックマトリクス
２２  縦方向ブラックマトリクス
３０  配向膜
４０  液晶分子
５０  液晶の初期配向方向
６０  光漏れ領域
７２  カラーフィルタ
７４  透明絶縁層
【図１】
2015004808.tif 000003
【図２】
2015004808.tif 000004
【図３】
2015004808.tif 000005
【図４】
2015004808.tif 000006
【図５】
2015004808.tif 000007
【図６】
2015004808.tif 000008
【図７】
2015004808.tif 000009
【図８】
2015004808.tif 000010
【図９】
2015004808.tif 000011